(57)【特許請求の範囲】
【請求項１】
電源プラグを収容し、収容する部分の最大外径未満の内径を有する切り欠きが設けられているプラグ保持部と、
前記電源プラグの差込方向に略垂直な方向で前記電源プラグを挟むように配置され、一端が前記プラグ保持部に固定され、他端が前記プラグの差込方向と平行な方向に突出して解放されており、開放された前記他端に互いに対向するようにツメが設けられ、電源コネクタの周辺に設けられた開口部に前記ツメが固定される２本の板状体と、
前記２本の板状体の少なくとも一方の前記ツメの配置されている側面を押圧することによって、前記ツメによる前記固定を解除する押圧部と、
を備えるプラグ付属部品。
【請求項２】
前記押圧部は、両端が開放され前記両端の途中の１点の軸を支点にして持ち上がるように前記プラグ保持部に固定され、前記２本の板状体の間に前記板状体に沿って配置された剛体であり、電源ケーブル側に配置されている前記剛体を、前記電源プラグの中心軸に向けて押圧することによって、前記２本の板状体の少なくとも一方の前記ツメの配置されている側面を押圧する請求項１に記載のプラグ付属部品。
【請求項３】
前記ツメは、内向きに対向していることを特徴とする請求項１又は２に記載のプラグ付属部品。
【発明の詳細な説明】
【技術分野】
【０００１】
本発明は、電源プラグの脱落を防止するためのプラグ付属部品に関する。
【背景技術】
【０００２】
装置の電源供給は、電源コネクタに電源プラグを差し込むことで電源供給する。放送用装置などの信頼性を要求される装置では、電源プラグが放送中に抜けてしまわないように、差し込んだ電源プラグが簡単に抜け落ちないような機構が必須である。一方で、メンテナンスのためには、電源プラグを抜き差し可能にしておく必要がある。そこで、従来は、プラグ付属部品が用いられていた（例えば、特許文献１参照。）。
【０００３】
図５に、特許文献１のプラグ付属部品を示す。特許文献１のプラグ付属部品は、電源コネクタ差込口２０１に金具２０２が取り付けられていた。この金具２０２は、電源プラグの周方向の幅がケーブル側よりも電源コネクタ側の方が太いことを利用し、電源プラグのうちの金具２０２よりも太い部分が金具２０２を通り抜けないようになっている。また、この金具２０２は、回転可能な状態で電源コネクタ差込口付近に取り付けられており、金具２０２を回転させることで電源プラグを抜き差し可能にしている。
【先行技術文献】
【特許文献】
【０００４】
【特許文献１】特開２００５−０３８７８５号公報
【発明の概要】
【発明が解決しようとする課題】
【０００５】
共通の電源プラグであっても、電源プラグの絶縁体部分の外形は様々である。しかし、特許文献１のプラグ付属部品は、金具が予め装置に搭載されているため、絶縁体部分の外形が一定形状の電源プラグにしか適用できなかった。
【０００６】
また、特許文献１のプラグ付属部品は、金具が回転可能であるため、外部からの衝撃によって金具が回転するときがある。このときに、金具が電源プラグから外れてしまう問題があった。
【０００７】
さらに、特許文献１のプラグ付属部品は、金具を回転させることで電源プラグを着脱可能にしているため、コンセントの金具を回転させるスペースが必要であり、ラックにコネクタを数多く並べられない問題があった。
【０００８】
そこで、本発明は、金具の回転機構を用いることなく電源プラグの脱落を防止するプラグ付属部品の提供を目的とする。
【課題を解決するための手段】
【０００９】
上記目的を達成するために、本願発明のプラグ付属部品は、電源コネクタの周辺に設けられた開口部に差し込むことで電源プラグを電源コネクタに固定する。
【００１０】
具体的には、本願発明のプラグ付属部品は、電源プラグを収容し、収容する部分の最大外径未満の内径を有する切り欠きが設けられているプラグ保持部と、前記電源プラグの差込方向に略垂直な方向で前記電源プラグを挟むように配置され、一端が前記プラグ保持部に固定され、他端が前記プラグの差込方向と平行な方向に突出して解放されており、開放された前記他端に互いに対向するようにツメが設けられ、電源コネクタの周辺に設けられた開口部に前記ツメが固定される２本の板状体と、前記２本の板状体の少なくとも一方の前記ツメの配置されている側面を押圧することによって、前記ツメによる前記固定を解除する押圧部と、を備える。
【００１１】
本願発明のプラグ付属部品は、プラグ保持部及び２本の板状体を備えるため、電源プラグを電源コネクタに接続した状態で、プラグ保持部と開口部とを固定することができる。これにより、電源プラグの脱落を防止することができる。本願発明のプラグ付属部品は、押圧部を備えるため、プラグ保持部と開口部とを固定していたツメを解除することができる。これにより、電源プラグを抜き差し可能にすることができる。したがって、本願発明のプラグ付属部品は、金具の回転機構を用いることなく電源プラグの脱落を防止するプラグ付属部品を提供することができる。
さらに、本願発明のプラグ付属部品は、ツメが互いに対向するように配置されているため、プラグ付属部品の設置スペースを狭くすることができる。このため、ラックにコネクタを数多く並べることができる。
【００１２】
本願発明のプラグ付属部品では、前記押圧部は、両端が開放され前記両端の途中の１点の軸を支点にして持ち上がるように前記プラグ保持部に固定され、前記板状体に沿って配置された剛体であり、電源ケーブル側に配置されている前記剛体を、前記電源プラグの中心軸に向けて押圧することによって、前記２本の板状体の少なくとも一方の前記ツメの配置されている側面を押圧してもよい。
また、本願発明のプラグ付属部品では、前記ツメは、内向きに対向していてもよい。
【発明の効果】
【００１３】
本発明によれば、金具の回転機構を用いることなく電源プラグの脱落を防止するプラグ付属部品を提供することができる。
【図面の簡単な説明】
【００１４】
【図１】本実施形態に係るプラグ付属部品の概観を示す。
【図２】本実施形態に係るプラグ付属部品のＡ−Ａ’断面図を示す。
【図３】差込方向Ｂ手前からプラグ保持部１１ａ及び接続部分保持部１１ｂを見た透視図を示す。
【図４】本実施形態の別形態に係るプラグ付属部品のＡ−Ａ’断面図を示す。
【図５】特許文献１のプラグ付属部品を示す。
【発明を実施するための形態】
【００１５】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１６】
図１に、本実施形態に係るプラグ付属部品の概観を示す。本実施形態に係るプラグ付属部品は、プラグ保持部１１と、板状体１２ａ及び１２ｂと、押圧部１３と、を備える。プラグ保持部１１が電源プラグを保持する。例えば、プラグ保持部１１は、電源プラグの少なくとも半分を収容し、収容する部分の最大外径未満の内径を有する切り欠き１７が設けられている。板状体１２ａ及び１２ｂは、先端が電源コネクタ２３の周囲に設けられた開口部２２ａ及び２２ｂにそれぞれ差込可能となっている。この差し込みによって開口部２２ａ及び２２ｂの奥で板状体１２ａ及び１２ｂのツメをはめ込み、プラグ保持部１１と装置の筐体２１とを固定する。
【００１７】
ここで、プラグ保持部１１は、電源プラグの電源ケーブル方向へ移動しないように保持する。例えば、電源プラグの絶縁部の全部を収容し、電源ケーブルを通すための電源ケーブルの外径よりも少し大きい内径を有する貫通孔が設けられているカバーである。電源プラグの絶縁部の全部を収容していなくてもよい。例えば、電源コネクタ２３側は開口している。また、図１に示すように、差込方向を軸としたときの周方向の一部が開口していてもよい。
【００１８】
図２に、本実施形態に係るプラグ付属部品のＡ−Ａ‘断面図を示す。本図では、板状体１２ａ及び１２ｂを開口部２２ａ及び２２ｂに差し込んだときのＡ−Ａ’断面図を示す。板状体１２ａ及び１２ｂは、電源プラグの差込方向に略垂直な方向で電源プラグ１００を挟むように配置され、一端がプラグ保持部１１に固定され、他端が電源プラグ１００の差込方向Ｂと平行な方向に突出して解放されており、開放された他端にツメが設けられている。電源コネクタ２３周辺に設けられた開口部２２ａ及び２２ｂにツメが固定される。押圧部１３は、２本の板状体の少なくとも一方のツメの配置されている側面を押圧することによって、ツメによる固定を解除する。
【００１９】
電源プラグを電源コネクタ２３に差し込むときは、板状体１２ａ及び１２ｂを開口部２２ａ及び２２ｂに差し込み、ツメがはめ込まれるようにすれば、プラグ保持部１１は装置の筺体２１に固定される。これにより、本実施形態に係るプラグ付属部品は、プラグ保持部１１が簡単に外れるようなことはなく、電源プラグがコンセントから外れないようにすることができる。他方、電源プラグを電源コネクタ２３から外したいときは、押圧部１３を押せば、ツメが外れ、板状体１２ａ及び１２ｂを開口部２２ａ及び２２ｂから抜くことができる。
【００２０】
ここで、プラグ保持部１１は、電源プラグ１００を保持するプラグ保持部１１ａと、電源プラグ１００と電源ケーブル１０１との接続部分１０２を保持する接続部分保持部１１ｂと、を有することが好ましい。そして、プラグ保持部１１ａ及び接続部分保持部１１ｂが、電源プラグ１００及び接続部分１０２の半分以上を覆うことが好ましい。このようなカバー状にすることで、電源プラグ１００を保護することができる。
【００２１】
また、プラグ保持部１１ａのうちの電源プラグ１００が設置される面には、クッション１５が設けられていることが好ましい。また、接続部分保持部１１ｂのうちの接続部分１０２が設置される面には、クッション１６が設けられていることが好ましい。図３に、差込方向Ｂ手前からプラグ保持部１１ａ及び接続部分保持部１１ｂを見た透視図を示す。クッション１５及びクッション１６は、電源プラグ１００及び接続部分１０２の半分以上を覆うように配置される。このように、カバーの内側にアダプターとしてのクッション１５及びクッション１６を装てんできるようにし、クッション１５及びクッション１６により様々な電源プラグ１００の形状にカバーを合わせることができる。これにより、プラグ保持部１１は、形状の異なる電源プラグ１００を保持することができる。
【００２２】
図２に示すツメは、互いに対向する方向に配置されている。互いに対向する方向に配置されていることで、ツメの収容により収容スペースが広がるのを避けることができる。これにより、プラグ付属部品の設置スペースを狭くすることができるため、ラックにコネクタを数多く並べることができる。
【００２３】
ツメが互いに対向する方向に配置されている場合、押圧部１３は、両端が開放され両端の途中の回転軸１４を支点にして持ち上がるようにプラグ保持部１１に固定され、２本の板状体１２ａ及び１２ｂの間に板状体１２ａに沿って配置された剛体であり、電源ケーブル１０１側に配置されている剛体を、電源プラグ１００の中心軸Ｃに向けて押圧することによって、板状体１２ａのツメの配置されている側面を押圧する。剛体のうちの露出した部分を押圧すると、回転軸１４を支点に剛体が持ち上がり、剛体のうちの板状体１２ａに沿って配置されている部分が板状体１２ａを押圧する。これにより、ツメが外れる。
【００２４】
剛体は、例えば、図２に示すように、板状体１２ａに配置される。この場合、押圧部１３を押すことによって、板状体１２ａ及び１２ｂのツメが外れる程度に板状体１２ａ及び１２ｂの開放された端部を開く。これにより、板状体１２ａ及び１２ｂの両側のツメを外すことができる。
【００２５】
剛体は、図４に示すように、２本の板状体１２ａ及び１２ｂに配置されていてもよい。この場合、一方の剛体は板状体１２ａに沿って配置され、他方の剛体は板状体１２ｂに沿って配置される。剛体を２本の板状体１２ａ及び１２ｂに配置することによって、ツメを外しやすくすることができる。
【００２６】
上記のように、本実施形態に係るプラグ付属部品は、電源プラグを覆うカバー状のものとした。カバーとコンセントとの接続部については板状体１２ａ及び１２ｂを設け、板状体１２ａ及び１２ｂの先端には内向きのツメをつけ、押圧部１３を抑えると板状体１２ａ及び１２ｂの先端が広がるようにした。コンセント側には板状体１２ａ及び１２ｂの先端を収容するための開口部２２ａ及び２２ｂを設け、開口部２２ａ及び２２ｂの奥で板状体１２ａ及び１２ｂのツメをはめ込むようになっている。
【００２７】
本発明により、１Ｕラック装置にコンセントを縦方向に並べて取り付けた場合であっても、本実施形態に係るプラグ付属部品を設置することができる。ツメがあるため、衝撃で外れることはなく、またクッション１５及び１６により様々な形状の電源プラグにも適用することができる。
【産業上の利用可能性】
【００２８】
本発明は、情報通信産業や電気機器産業のほか幅広い産業に適用することができる。
【符号の説明】
【００２９】
１１：プラグ保持部
１２ａ、１２ｂ：板状体
１３：押圧部
１４：回転軸
１５、１６：クッション
１７：切り欠き
２１：装置の筺体
２２ａ、２２ｂ：開口部
２３：電源コネクタ
１００：電源プラグ
１０１：電源ケーブル
１０２：電源プラグと電源ケーブルの接続部分
２０１：電源コネクタ差込口
２０２：金具
【図１】
0005159909.tif 000002
【図２】
0005159909.tif 000003
【図３】
0005159909.tif 000004
【図４】
0005159909.tif 000005
【図５】
0005159909.tif 000006